【手続補正書】
【提出日】令和3年9月17日(2021.9.17)
【手続補正１】
【補正対象書類名】特許請求の範囲
【補正対象項目名】全文
【補正方法】変更
【補正の内容】
【特許請求の範囲】
【請求項１】
インクコンテナと該インクコンテナからインクが供給される被供給体とを連結する連結構造であって、
前記インクコンテナの口栓を封止するキャップと、
前記被供給体の被供給口に装着されるジョイントと、を備え、
前記キャップは、
前記被供給体へのインクの供給口に連通するコンテナ側連通路と、
前記供給口を開閉するコンテナ開閉弁と、を有し、
前記ジョイントは、
前記インクコンテナからのインクの流入口に連通する本体側連通路と、
前記流入口を開閉する本体開閉弁と、
前記本体開閉弁を前記インクコンテナ側に付勢する第１の付勢部材と、を有し、
前記キャップと前記ジョイントとが連結される際に、前記キャップと前記ジョイントとが近づくと、前記本体開閉弁が前記コンテナ開閉弁に当接し、前記第１の付勢部材の付勢力に抗して押し込まれて前記流入口が開放され、
さらに前記キャップが前記ジョイントに近づくと、前記本体開閉弁が前記コンテナ開閉弁を押し込んで前記供給口を開放し、前記コンテナ側連通路と前記本体側連通路とを介して前記インクコンテナと前記被供給体とを連通させることを特徴とする連結構造。
【請求項２】
前記本体開閉弁は、自然状態において、前記流入口よりも前記インクコンテナ側へ突出していることを特徴とする請求項１に記載の連結構造。
【請求項３】
前記本体開閉弁は、前記第１の付勢部材が最も圧縮された状態において、前記流入口よりも前記インクコンテナ側へ突出していることを特徴とする請求項１又は２に記載の連結構造。
【請求項４】
前記キャップと前記ジョイントとが連結される際に、前記キャップと前記ジョイントとが近づくと、前記本体開閉弁が前記コンテナ開閉弁に当接し、前記第１の付勢部材の付勢力に抗して押し込まれて前記流入口が開放され、
さらに前記キャップと前記ジョイントとが近づくと、前記第１の付勢部材が最も圧縮された状態まで前記本体開閉弁が押し込まれ、
さらに前記キャップと前記ジョイントとが近づくと、前記本体開閉弁が前記コンテナ開閉弁を押し込んで前記供給口を開放することを特徴とする請求項１〜３のいずれか１項に記載の連結構造。
【請求項５】
前記ジョイントは、
前記本体側連通路、前記本体開閉弁及び前記第１の付勢部材を備える可動体と、
前記可動体を前記インクコンテナ側に付勢する第２の付勢部材と、を備えていることを特徴とする請求項１〜４のいずれか１項に記載の連結構造。
【請求項６】
前記キャップは、前記コンテナ開閉弁を前記ジョイント側に付勢するコンテナ開閉弁付勢部材を有し、
前記第１の付勢部材の付勢力は、前記コンテナ開閉弁付勢部材の付勢力よりも弱く、
前記コンテナ開閉弁付勢の付勢力は、前記第２の付勢部材の付勢力よりも弱いことを特徴とする請求項５に記載の連結構造。
【請求項７】
前記キャップは、
前記コンテナ側連通路から前記インクコンテナへのインクの逆流を防止する逆流防止弁と、
前記逆流防止弁と前記コンテナ開閉弁との間の前記コンテナ側連通路に封入されたインクの液圧によって前記コンテナ開閉弁が押圧される環状の突部と、を有し、
前記突部は、前記供給口に向かってテーパー状に形成されており、前記コンテナ側連通路の連通方向に沿った断面視において、前記突部を前記供給口に向かって延長した仮想線が交差するテーパー角度は６０°以上、１２０°以下であることを特徴とする請求項１〜６のいずれか１項に記載の連結構造。
【請求項８】
請求項１〜７のいずれか１項に記載の連結構造によって連結される前記インクコンテナ及び前記被供給体と、
前記インクコンテナから前記被供給体に供給されたインクを用いて画像を形成する画像形成部と、を備えていることを特徴とする画像形成装置。
【手続補正２】
【補正対象書類名】明細書
【補正対象項目名】０００７
【補正方法】変更
【補正の内容】
【０００７】
本発明の連結構造は、インクコンテナと該インクコンテナからインクが供給される被供給体とを連結する連結構造であって、前記インクコンテナの口栓を封止するキャップと、前記被供給体の被供給口に装着されるジョイントと、を備え、前記キャップは、前記被供給体へのインクの供給口に連通するコンテナ側連通路と、前記供給口を開閉するコンテナ開閉弁と、を有し、前記ジョイントは、前記インクコンテナからのインクの流入口に連通する本体側連通路と、前記流入口を開閉する本体開閉弁と、前記本体開閉弁を前記インクコンテナ側に付勢する第１の付勢部材と、を有し、前記キャップと前記ジョイントとが連結される際に、前記キャップと前記ジョイントとが近づくと、前記本体開閉弁が前記コンテナ開閉弁に当接し、前記第１の付勢部材の付勢力に抗して押し込まれて前記流入口が開放され、さらに前記キャップが前記ジョイントに近づくと、前記本体開閉弁が前記コンテナ開閉弁を押し込んで前記供給口を開放し、前記コンテナ側連通路と前記本体側連通路とを介して前記インクコンテナと前記被供給体とを連通させることを特徴とする。
【手続補正３】
【補正対象書類名】明細書
【補正対象項目名】０００８
【補正方法】変更
【補正の内容】
【０００８】
本発明の連結構造において、前記本体開閉弁は、自然状態において、前記流入口よりも前記インクコンテナ側へ突出していることを特徴としてもよい。
本発明の連結構造において、前記本体開閉弁は、前記第１の付勢部材が最も圧出された状態において、前記流入口よりも前記インクコンテナ側へ突出していることを特徴としてもよい。
本発明の連結構造において、前記キャップと前記ジョイントとが連結される際に、前記キャップと前記ジョイントとが近づくと、前記本体開閉弁が前記コンテナ開閉弁に当接し、前記第１の付勢部材の付勢力に抗して押し込まれて前記流入口が開放され、さらに前記キャップと前記ジョイントとが近づくと、前記第１の付勢部材が最も圧縮された状態まで前記本体開閉弁が押し込まれ、さらに前記キャップと前記ジョイントとが近づくと、前記本体開閉弁が前記コンテナ開閉弁を押し込んで前記供給口を開放することを特徴としてもよい。
【手続補正４】
【補正対象書類名】明細書
【補正対象項目名】０００９
【補正方法】変更
【補正の内容】
【０００９】
本発明の連結構造において、前記ジョイントは、前記本体側連通路、前記本体開閉弁及び前記第１の付勢部材を備える可動体と、前記可動体を前記インクコンテナ側に付勢する第２の付勢部材と、を備えていることを特徴としてもよい。
本発明において、前記キャップは、前記コンテナ開閉弁を前記ジョイント側に付勢するコンテナ開閉弁付勢部材を有し、前記第１の付勢部材の付勢力は、前記コンテナ開閉弁付勢部材の付勢力よりも弱く、前記コンテナ開閉弁付勢の付勢力は、前記第２の付勢部材の付勢力よりも弱いことを特徴としてもよい。
本発明において、前記キャップは、前記コンテナ側連通路から前記インクコンテナへのインクの逆流を防止する逆流防止弁と、前記逆流防止弁と前記コンテナ開閉弁との間の前記コンテナ側連通路に封入されたインクの液圧によって前記コンテナ開閉弁が押圧される環状の突部と、を有し、前記突部は、前記供給口に向かってテーパー状に形成されており、前記コンテナ側連通路の連通方向に沿った断面視において、前記突部を前記供給口に向かって延長した仮想線が交差するテーパー角度は６０°以上、１２０°以下であることを特徴としてもよい。